(57)【要約】      （修正有）【課題】医療器具追跡システムを提供する。【解決手段】医療器具追跡システム２０は、ハンドルと、その上に配置されたハンドル位置追跡トランスデューサを有するハンドルに挿入するための様々な交換式ヘッドを含む医療器具２８であって、様々な交換式ヘッドが、その上に配置されるヘッド位置追跡トランスデューサを有し、交換式ヘッドがハンドル内に挿入されると、ヘッド位置追跡トランスデューサが、ハンドル位置追跡トランスデューサに対する位置を画定する医療器具２８と、ハンドル位置追跡トランスデューサ及びハンドルに挿入された交換式ヘッドのヘッド位置追跡トランスデューサによって生成された信号を受信し、ハンドル位置追跡トランスデューサと挿入された交換式ヘッドのヘッド位置追跡トランスデューサとの間の相対位置を計算し、計算された相対位置に応答してどの交換式ヘッドがハンドル内に挿入されたかを識別する処理回路３８と、を含む。【選択図】図１
2020168368.tif 000002
【特許請求の範囲】
【請求項１】
医療器具追跡システムであって、
ハンドルと、前記ハンドルへの個々の挿入のための様々な剛性の交換式ヘッドと、を含む医療器具であって、前記ハンドルは、その上に配置されたハンドル位置追跡トランスデューサを有し、前記交換式ヘッドのうちの様々なそれぞれの交換式ヘッドが、その上に配置される様々に位置決めされたそれぞれのヘッド位置追跡トランスデューサを有し、そのため、前記交換式ヘッドのうちの前記様々なそれぞれの交換式ヘッドが前記ハンドル内に挿入されると、前記様々なそれぞれのヘッド位置追跡トランスデューサが、前記ハンドル位置追跡トランスデューサに対する様々なそれぞれの位置を画定する、医療器具と、
処理回路であって、
前記ハンドル位置追跡トランスデューサ、及び前記ハンドルに挿入された前記交換式ヘッドのうちのそれぞれの交換式ヘッドの前記それぞれのヘッド位置追跡トランスデューサによって生成された信号を受信し、
受信された前記信号に応答して、前記ハンドル位置追跡トランスデューサと挿入された前記交換式ヘッドの前記ヘッド位置追跡トランスデューサとの間の相対位置を計算し、
計算された前記相対位置に応答して、前記交換式ヘッドのうちのどの交換式ヘッドが前記ハンドル内に挿入されたかを識別するように構成された、処理回路と、を備える医療器具追跡システム。
【請求項２】
前記交換式ヘッドは、ヘッド形状又はヘッド寸法のうち少なくともいずれか１つ以上に関して互いに異なる、請求項１に記載のシステム。
【請求項３】
前記処理回路は、前記計算された相対位置に応答して、前記挿入された交換式ヘッドが前記ハンドル内に正しく挿入されたか否かを検出するように構成されている、請求項１に記載のシステム。
【請求項４】
前記計算された相対位置は、前記ハンドル位置追跡トランスデューサと前記挿入された交換式ヘッドの前記ヘッド位置追跡トランスデューサとの間の計算された距離を含み、前記処理回路は、少なくとも前記計算された距離に応答して前記交換式ヘッドのうちのどの交換式ヘッドが前記ハンドルに挿入されたかを識別するように構成されている、請求項１に記載のシステム。
【請求項５】
前記ハンドルは、前記様々な剛性の交換式ヘッドを挿入するための複数の回転位置を含み、前記計算された相対位置は、前記ハンドル位置追跡トランスデューサに対する前記挿入された交換式ヘッドの前記ヘッド位置追跡トランスデューサの計算された配向を含み、前記処理回路は、前記計算された距離及び前記計算された配向に応答して前記交換式ヘッドのうちのどの交換式ヘッドが前記ハンドルに挿入されたかを識別するように構成されている、請求項４に記載のシステム。
【請求項６】
前記ハンドルは、前記様々な剛性の交換式ヘッドを回転させるための複数の回転位置を含み、前記計算された相対位置は、前記ハンドル位置追跡トランスデューサに対する前記挿入された交換式ヘッドの前記ヘッド位置追跡トランスデューサの計算された配向を含み、前記処理回路は、前記計算された距離及び前記計算された配向に応答して前記交換式ヘッドのうちのどの交換式ヘッドが前記ハンドルに挿入されたかを識別するように構成されている、請求項４に記載のシステム。
【請求項７】
前記交換式ヘッドのそれぞれは少なくとも１つの切断要素を含む、請求項１に記載のシステム。
【請求項８】
前記医療器具は、生体被験者の身体部位に挿入されるように構成され、前記システムは、前記身体部位が位置する領域内に交番磁界を送信するように構成された少なくとも１つの磁界放射器を有する位置特定パッドを更に備え、前記交換式ヘッドのそれぞれの前記ヘッド位置追跡トランスデューサは、送信された前記交番磁界の少なくとも一部を検出するように構成された少なくとも１つのコイルを含む、請求項１に記載のシステム。
【請求項９】
前記交換式ヘッドのそれぞれの前記ヘッド位置追跡トランスデューサは、回路基板上に印刷された二軸トランスデューサである、請求項８に記載のシステム。
【請求項１０】
前記医療器具は、生体被験者の身体部位に挿入されるように構成され、前記システムはディスプレイを更に備え、前記処理回路は、
前記受信された信号の少なくとも一部に応答して、前記挿入された交換式ヘッドの位置を追跡し、かつ、
追跡された前記位置並びに識別された前記挿入された交換式ヘッドの形状及び寸法に応答して、前記ディスプレイに、前記身体部位の少なくとも一部の表現と、前記身体部位内の前記医療器具の前記挿入された交換式ヘッドの少なくとも一部の表現と、を含む画像を表示するように構成されている、請求項１に記載のシステム。
【請求項１１】
医療器具追跡システムであって、
ハンドルと、前記ハンドルへの個々の挿入のための様々な剛性の交換式ヘッドと、を含む医療器具であって、前記ハンドルは、その上に配置されたハンドル位置追跡トランスデューサを有し、前記交換式ヘッドのうちの様々なそれぞれの交換式ヘッドが、その上に配置される様々に位置決めされたそれぞれのヘッド位置追跡トランスデューサを有し、そのため、前記交換式ヘッドのうちの前記様々なそれぞれの交換式ヘッドが前記ハンドル内に挿入されると、前記様々なそれぞれのヘッド位置追跡トランスデューサが、前記ハンドル位置追跡トランスデューサに対する様々なそれぞれの位置を画定する、医療器具と、
処理回路であって、
前記ハンドル位置追跡トランスデューサ、及び前記ハンドルに挿入された前記交換式ヘッドのうちのそれぞれの交換式ヘッドの前記それぞれのヘッド位置追跡トランスデューサによって生成された信号を受信し、
受信された前記信号に応答して、前記ハンドル位置追跡トランスデューサと挿入された前記交換式ヘッドの前記ヘッド位置追跡トランスデューサとの間の相対位置を計算し、
ユーザ入力装置を介して、前記挿入された交換式ヘッドのユーザ識別情報を受信し、
前記挿入された交換式ヘッドの前記ユーザ識別情報を計算された前記相対位置と関連付け、その結果、新しい計算された相対位置が前記計算された相対位置の所与の許容差内にあることに応答して、前記挿入された交換式ヘッドが前記ハンドルに再挿入されたことを今後識別するのを可能にするように構成された、処理回路と、を備える医療器具追跡システム。
【請求項１２】
前記計算された相対位置は、前記ハンドル位置追跡トランスデューサと前記挿入された交換式ヘッドの前記ヘッド位置追跡トランスデューサとの間の計算された距離を含み、前記処理回路は、前記挿入された交換式ヘッドの前記ユーザ識別情報を前記計算された距離と関連付け、その結果、少なくとも新しい計算された距離が前記計算された距離の所与の許容差内にあることに応答して、前記挿入された交換式ヘッドが前記ハンドルに再挿入されたことを今後識別するのを可能にするように構成されている、請求項１１に記載のシステム。
【請求項１３】
前記ハンドルは、前記様々な剛性の交換式ヘッドを挿入するための複数の回転位置を含み、前記計算された相対位置は、前記ハンドル位置追跡トランスデューサに対する前記挿入された交換式ヘッドの前記ヘッド位置追跡トランスデューサの計算された配向を含み、前記処理回路は、前記挿入された交換式ヘッドの前記ユーザ識別情報を前記計算された距離及び前記計算された配向と関連付け、その結果、新しい計算された距離及び新しい計算された配向が前記計算された距離及び前記計算された配向それぞれの少なくとも１つの所与の許容差内にあることに応答して、前記挿入された交換式ヘッドが前記ハンドルに再挿入されたことを今後識別するのを可能にするように構成されている、請求項１２に記載のシステム。
【請求項１４】
前記ハンドルは、前記様々な剛性の交換式ヘッドを回転させるための複数の回転位置を含み、前記計算された相対位置は、前記ハンドル位置追跡トランスデューサに対する前記挿入された交換式ヘッドの前記ヘッド位置追跡トランスデューサの計算された配向を含み、前記処理回路は、前記挿入された交換式ヘッドの前記ユーザ識別情報を前記計算された距離及び前記計算された配向と関連付け、その結果、新しい計算された距離及び新しい計算された配向が前記計算された距離及び前記計算された配向それぞれの少なくとも１つの所与の許容差内にあることに応答して、前記挿入された交換式ヘッドが前記ハンドルに再挿入されたことを今後識別するのを可能にするように構成されている、請求項１２に記載のシステム。
【請求項１５】
医療器具を用いた医療処置のための方法であって、前記医療器具は、ハンドルと、前記ハンドルへの個々の挿入のための様々な剛性の交換式ヘッドと、を含み、前記ハンドルは、その上に配置されたハンドル位置追跡トランスデューサを有し、前記交換式ヘッドのうちの様々なそれぞれの交換式ヘッドが、その上に配置される様々に位置決めされたそれぞれのヘッド位置追跡トランスデューサを有し、そのため、前記交換式ヘッドのうちの前記様々なそれぞれの交換式ヘッドが前記ハンドル内に挿入されると、前記様々なそれぞれのヘッド位置追跡トランスデューサが、前記ハンドル位置追跡トランスデューサに対する様々なそれぞれの位置を画定し、前記方法は、
前記ハンドル位置追跡トランスデューサ、及び前記ハンドルに挿入された前記交換式ヘッドのうちのそれぞれの交換式ヘッドの前記それぞれのヘッド位置追跡トランスデューサによって生成された信号を受信することと、
受信された前記信号に応答して、前記ハンドル位置追跡トランスデューサと挿入された前記交換式ヘッドの前記ヘッド位置追跡トランスデューサとの間の相対位置を計算することと、
計算された前記相対位置に応答して、前記交換式ヘッドのうちのどの交換式ヘッドが前記ハンドル内に挿入されたかを識別することと、を含む、方法。
【請求項１６】
前記交換式ヘッドは、ヘッド形状又はヘッド寸法のうち少なくともいずれか１つ以上に関して互いに異なる、請求項１５に記載の方法。
【請求項１７】
前記計算された相対位置に応答して、前記挿入された交換式ヘッドが前記ハンドル内に正しく挿入されたか否かを検出することを更に含む、請求項１５に記載の方法。
【請求項１８】
前記計算された相対位置は、前記ハンドル位置追跡トランスデューサと前記挿入された交換式ヘッドの前記ヘッド位置追跡トランスデューサとの間の計算された距離を含み、前記識別することは、少なくとも前記計算された距離に応答して前記交換式ヘッドのうちのどの交換式ヘッドが前記ハンドルに挿入されたかを識別することを含む、請求項１５に記載の方法。
【請求項１９】
前記ハンドルは、前記様々な剛性の交換式ヘッドを挿入するための複数の回転位置を含み、前記計算された相対位置は、前記ハンドル位置追跡トランスデューサに対する前記挿入された交換式ヘッドの前記ヘッド位置追跡トランスデューサの計算された配向を含み、前記識別することは、前記計算された距離及び前記計算された配向に応答して前記交換式ヘッドのうちのどの交換式ヘッドが前記ハンドルに挿入されたかを識別することを含む、請求項１８に記載の方法。
【請求項２０】
前記ハンドルは、前記様々な剛性の交換式ヘッドを回転させるための複数の回転位置を含み、前記計算された相対位置は、前記ハンドル位置追跡トランスデューサに対する前記挿入された交換式ヘッドの前記ヘッド位置追跡トランスデューサの計算された配向を含み、前記識別することは、前記計算された距離及び前記計算された配向に応答して前記交換式ヘッドのうちのどの交換式ヘッドが前記ハンドルに挿入されたかを識別することを含む、請求項１８に記載の方法。
【請求項２１】
前記交換式ヘッドのそれぞれは少なくとも１つの切断要素を含む、請求項１５に記載の方法。
【請求項２２】
前記医療器具は、生体被験者の身体部位に挿入されるように構成され、前記方法は、
前記身体部位が位置する領域内に交番磁界を送信することであって、前記交換式ヘッドのそれぞれの前記ヘッド位置追跡トランスデューサは、少なくとも１つのコイルを含む、ことと、
前記少なくとも１つのコイルによって、送信された前記交番磁界の少なくとも一部を検出することと、を更に含む、請求項１５に記載の方法。
【請求項２３】
前記交換式ヘッドのそれぞれの前記ヘッド位置追跡トランスデューサは、回路基板上に印刷された二軸トランスデューサである、請求項２２に記載の方法。
【請求項２４】
前記医療器具は、生体被験者の身体部位に挿入されるように構成され、前記方法は、
前記受信された信号の少なくとも一部に応答して、前記挿入された交換式ヘッドの位置を追跡することと、
追跡された前記位置並びに識別された前記挿入された交換式ヘッドの形状及び寸法に応答して、ディスプレイに、前記身体部位の少なくとも一部の表現と、前記身体部位内の前記医療器具の前記挿入された交換式ヘッドの少なくとも一部の表現と、を含む画像を表示することと、を更に含む、請求項１５に記載の方法。
【発明の詳細な説明】
【技術分野】
【０００１】
本発明は医療器具に関し、具体的には医療器具の識別に関するが、これに限定されない。
【背景技術】
【０００２】
医療器具の自動識別は、当該技術分野において既知である。例えば、米国特許第９，６２２，８２４号（Ｇｏｌｄｂａｃｈ）は、ナビゲートされる機器を識別するために医療用ナビゲーションシステムを使用するための方法を記載しており、この器具は、剛性本体を形成する複数のマーカを有する基準アレイを含み、マーカの互いに対する位置は、特定の器具のための特徴的な配置としてナビゲーションシステム中で予め知られていない。方法は、他のマーカに対する各マーカの距離を測定することと、割当可能なマーカアレイとして測定された距離を有するマーカの空間的配置を識別することと、割当可能なマーカアレイを器具に割り当てることと、割り当てられたマーカアレイに基づいて器具を識別することと、を含む。
【０００３】
Ｗｅｅｓｅらの米国特許第９，３９３，０７９号は、Ｘ線撮像システムによって生成された投影画像の評価のための方法及び画像処理システムを記載しており、この画像は、カテーテル又はガイドワイヤなどの所与の一連の介入器具の様々な器具を示し得る。器具は、その構成が対応する器具に特有となるようにマーカを装備する。好ましくは、３つのマーカが直線上に配置され、これらの間の距離の比は対応する器具に特有である。次いで、画像処理システムは、所与の投影内に存在する器具を識別し、上記の器具に対応するユーザのための機能を提供することができる。更に、その器具のマーカ構成が事前に知られている場合は、システムを用いて投影画像内の対象の器具の位置を特定することができる。
【０００４】
Ｈａｒｔｍａｎｎらの米国特許出願公開第２００８／０２００９２７号は、ナビゲーションシステムで使用される部材を識別するための方法及び装置を記載している。ナビゲーションシステムは、入力を介して器具の識別を判定することができる。器具がナビゲーションシステムのフィールド又はアセンブリに導入されると、入力は実質的に自動となり得る。
【０００５】
Ｖｅｒａｒｄらの米国特許第８，６００，４７８号は、読取機付近の外科用器具に関する識別及び選択された情報を判定するためのシステム及び装置を記載している。情報は、選択された時間に情報を読取機に送信するように動作可能な部材に記憶することができる。情報は、ナビゲーションシステム内で使用されて、患者に対する器具のナビゲーションを支援することができる。
【０００６】
Ｇｏｖａｒｉらの米国特許公開第２００７／００８０６８２号は、第１の表面に実装可能なパッケージ内に第１の磁気抵抗磁界センサを含むセンサアセンブリを記載しており、これは、センサの空間的配向に対してそれぞれ異なる第１及び第２の軸上に投影された磁界の第１及び第２の構成要素を測定し、かつ測定された第１及び第２の構成要素を示す第１の位置信号を生成する。第２の表面に実装可能なパッケージ内の第２の磁気抵抗磁界センサは、センサの空間的配向に対して少なくとも第３の軸上に投影された磁界の少なくとも第３の構成要素を測定し、測定された第３の構成要素を示す第２の位置信号を生成する。基材アセンブリは、第１の磁界センサを第１の空間的配向に配向し、第２の磁界センサを第２の空間配向に配向し、それにより、第３の軸は、第１及び第２の軸を含む平面外に配向されている。
【発明の概要】
【課題を解決するための手段】
【０００７】
本開示の一実施形態によれば、医療器具追跡システムであって、ハンドルと、ハンドルへの個々の挿入のための様々な剛性の交換式ヘッドと、を含む医療器具であって、ハンドルは、その上に配置されたハンドル位置追跡トランスデューサを有し、交換式ヘッドのうちの様々なそれぞれの交換式ヘッドが、その上に配置される様々に位置決めされたそれぞれのヘッド位置追跡トランスデューサを有し、そのため、交換式ヘッドのうちの様々なそれぞれの交換式ヘッドがハンドル内に挿入されると、様々なそれぞれのヘッド位置追跡トランスデューサが、ハンドル位置追跡トランスデューサに対する様々なそれぞれの位置を画定する、医療器具と、処理回路であって、ハンドル位置追跡トランスデューサ、及びハンドルに挿入された交換式ヘッドのうちのそれぞれの交換式ヘッドのそれぞれのヘッド位置追跡トランスデューサによって生成された信号を受信し、受信された信号に応答して、ハンドル位置追跡トランスデューサと挿入された交換式ヘッドのヘッド位置追跡トランスデューサとの間の相対位置を計算し、計算された相対位置に応答して、交換式ヘッドのうちのどの交換式ヘッドがハンドル内に挿入されたかを識別するように構成された、処理回路と、を備える医療器具追跡システムが提供される。
【０００８】
更に、本開示の一実施形態によれば、交換式ヘッドは、ヘッド形状又はヘッド寸法のうち少なくともいずれか１つ以上に関して互いに異なる。
【０００９】
なお更に本開示の一実施形態によれば、処理回路は、計算された相対位置に応答して、挿入された交換式ヘッドがハンドル内に正しく挿入されたか否かを検出するように構成されている。
【００１０】
加えて、本開示の一実施形態によれば、計算された相対位置は、ハンドル位置追跡トランスデューサと挿入された交換式ヘッドのヘッド位置追跡トランスデューサとの間の計算された距離を含み、処理回路は、少なくとも計算された距離に応答して交換式ヘッドのうちのどの交換式ヘッドがハンドルに挿入されたかを識別するように構成されている。
【００１１】
更に、本開示の一実施形態によれば、ハンドルは、様々な剛性の交換式ヘッドを挿入するための複数の回転位置を含み、計算された相対位置は、ハンドル位置追跡トランスデューサに対する挿入された交換式ヘッドのヘッド位置追跡トランスデューサの計算された配向を含み、処理回路は、計算された距離及び計算された配向に応答して交換式ヘッドのうちのどの交換式ヘッドがハンドルに挿入されたかを識別するように構成されている。
【００１２】
更に、本開示の一実施形態によれば、様々な剛性の交換式ヘッドを回転させるための複数の回転位置を含み、計算された相対位置は、ハンドル位置追跡トランスデューサに対する挿入された交換式ヘッドのヘッド位置追跡トランスデューサの計算された配向を含み、処理回路は、計算された距離及び計算された配向に応答して交換式ヘッドのうちのどの交換式ヘッドがハンドルに挿入されたかを識別するように構成されている。
【００１３】
なお更に、本開示の一実施形態によれば、交換式ヘッドのそれぞれは少なくとも１つの切断要素を含む。
【００１４】
更に、本開示の一実施形態によれば、医療器具は、生体被験者の身体部位に挿入されるように構成され、システムは、身体部位が位置する領域内に交番磁界を送信するように構成された少なくとも１つの磁界放射器を有する位置特定パッドを更に備え、交換式ヘッドのそれぞれのヘッド位置追跡トランスデューサは、送信された交番磁界の少なくとも一部を検出するように構成された少なくとも１つのコイルを含む。
【００１５】
更に、本開示の一実施形態によれば、交換式ヘッドのそれぞれのヘッド位置追跡トランスデューサは、回路基板上に印刷された二軸トランスデューサである。
【００１６】
更に、本開示の一実施形態によれば、医療器具は、生体被験者の身体部位に挿入されるように構成され、システムはディスプレイを更に含み、処理回路は、受信された信号の少なくとも一部に応答して挿入された交換式ヘッドの位置を追跡し、追跡された位置並びに識別された挿入された交換式ヘッドの形状及び寸法に応答して、ディスプレイに、身体部位の少なくとも一部の表現と、身体部位内の医療器具の挿入された交換式ヘッドの少なくとも一部の表現と、を含む画像を表示するように構成されている。
【００１７】
本開示の別の実施形態によれば、医療器具追跡システムであって、ハンドルと、ハンドルへの個々の挿入のための様々な剛性の交換式ヘッドと、を含む医療器具であって、ハンドルは、その上に配置されたハンドル位置追跡トランスデューサを有し、交換式ヘッドのうちの様々なそれぞれの交換式ヘッドが、その上に配置される様々に位置決めされたそれぞれのヘッド位置追跡トランスデューサを有し、そのため、交換式ヘッドのうちの様々なそれぞれの交換式ヘッドがハンドル内に挿入されると、様々なそれぞれのヘッド位置追跡トランスデューサが、ハンドル位置追跡トランスデューサに対する様々なそれぞれの位置を画定する、医療器具と、処理回路であって、ハンドル位置追跡トランスデューサ、及びハンドルに挿入された交換式ヘッドのうちのそれぞれの交換式ヘッドのそれぞれのヘッド位置追跡トランスデューサによって生成された信号を受信し、受信された信号に応答して、ハンドル位置追跡トランスデューサと挿入された交換式ヘッドのヘッド位置追跡トランスデューサとの間の相対位置を計算し、ユーザ入力装置を介して、挿入された交換式ヘッドのユーザ識別情報を受信し、挿入された交換式ヘッドのユーザ識別情報を計算された相対位置と関連付け、その結果、新しい計算された相対位置が計算された相対位置の所与の許容差内にあることに応答して、挿入された交換式ヘッドがハンドルに再挿入されたことを今後識別するのを可能にするように構成された、処理回路と、を備える医療器具追跡システムが更に提供される。
【００１８】
なお更に本開示の一実施形態によれば、計算された相対位置は、ハンドル位置追跡トランスデューサと挿入された交換式ヘッドのヘッド位置追跡トランスデューサとの間の計算された距離を含み、処理回路は、挿入された交換式ヘッドのユーザ識別情報を計算された距離と関連付け、その結果、少なくとも新しい計算された距離が計算された距離の所与の許容差内にあることに応答して、挿入された交換式ヘッドがハンドルに再挿入されたことを今後識別するのを可能にするように構成されている。
【００１９】
更に、本開示の一実施形態によれば、ハンドルは、様々な剛性の交換式ヘッドを挿入するための複数の回転位置を含み、計算された相対位置は、ハンドル位置追跡トランスデューサに対する挿入された交換式ヘッドのヘッド位置追跡トランスデューサの計算された配向を含み、処理回路は、挿入された交換式ヘッドのユーザ識別情報を計算された距離及び計算された配向と関連付け、その結果、新しい計算された距離及び新しい計算された配向が計算された距離及び計算された配向それぞれの少なくとも１つの所与の許容差内にあることに応答して、挿入された交換式ヘッドがハンドルに再挿入されたことを今後識別するのを可能にするように構成されている。
【００２０】
更に、本開示の一実施形態によれば、ハンドルは、様々な剛性の交換式ヘッドを回転させるための複数の回転位置を含み、計算された相対位置は、ハンドル位置追跡トランスデューサに対する挿入された交換式ヘッドのヘッド位置追跡トランスデューサの計算された配向を含み、処理回路は、挿入された交換式ヘッドのユーザ識別情報を計算された距離及び計算された配向と関連付け、その結果、新しい計算された距離及び新しい計算された配向が計算された距離及び計算された配向それぞれの少なくとも１つの所与の許容差内にあることに応答して、挿入された交換式ヘッドがハンドルに再挿入されたこと今後識別するのを可能にするように構成されている。
【００２１】
本開示の更に別の実施形態によれば、医療器具を用いた医療処置のための方法であって、医療器具は、ハンドルと、ハンドルへの個々の挿入のための様々な剛性の交換式ヘッドと、を含み、ハンドルは、その上に配置されたハンドル位置追跡トランスデューサを有し、交換式ヘッドのうちの様々なそれぞれの交換式ヘッドが、その上に配置される様々に位置決めされたそれぞれのヘッド位置追跡トランスデューサを有し、そのため、交換式ヘッドのうちの様々なそれぞれの交換式ヘッドがハンドル内に挿入されると、様々なそれぞれのヘッド位置追跡トランスデューサが、ハンドル位置追跡トランスデューサに対する様々なそれぞれの位置を画定し、方法は、ハンドル位置追跡トランスデューサ、及びハンドルに挿入された交換式ヘッドのうちのそれぞれの交換式ヘッドのそれぞれのヘッド位置追跡トランスデューサによって生成された信号を受信することと、受信された信号に応答して、ハンドル位置追跡トランスデューサと挿入された交換式ヘッドのヘッド位置追跡トランスデューサとの間の相対位置を計算することと、計算された相対位置に応答して、交換式ヘッドのうちのどの交換式ヘッドがハンドル内に挿入されたかを識別することと、を含む医療機器を用いる医療処置のための方法が更に提供される。
【００２２】
更に、本開示の一実施形態によれば、交換式ヘッドは、ヘッド形状又はヘッド寸法のうち少なくともいずれか１つ以上に関して互いに異なる。
【００２３】
なお更に本開示の一実施形態によれば、方法は、計算された相対位置に応答して、挿入された交換式ヘッドがハンドル内に正しく挿入されたか否かを検出することを更に含む。
【００２４】
加えて、本開示の一実施形態によれば、計算された相対位置は、ハンドル位置追跡トランスデューサと挿入された交換式ヘッドのヘッド位置追跡トランスデューサとの間の計算された距離を含み、識別することは、少なくとも計算された距離に応答して交換式ヘッドのうちのどの交換式ヘッドがハンドルに挿入されたかを識別することを含む。
【００２５】
更に、本開示の一実施形態によれば、ハンドルは、様々な剛性の交換式ヘッドを挿入するための複数の回転位置を含み、計算された相対位置は、ハンドル位置追跡トランスデューサに対する挿入された交換式ヘッドのヘッド位置追跡トランスデューサの計算された配向を含み、識別することは、計算された距離及び計算された配向に応答して交換式ヘッドのうちのどの交換式ヘッドがハンドルに挿入されたかを識別することを含む。
【００２６】
更に、本開示の一実施形態によれば、ハンドルは、様々な剛性の交換式ヘッドを回転させるための複数の回転位置を含み、計算された相対位置は、ハンドル位置追跡トランスデューサに対する挿入された交換式ヘッドのヘッド位置追跡トランスデューサの計算された配向を含み、識別することは、計算された距離及び計算された配向に応答して交換式ヘッドのうちのどの交換式ヘッドがハンドルに挿入されたかを識別することを含む。
【００２７】
なお更に、本開示の一実施形態によれば、交換式ヘッドのそれぞれは少なくとも１つの切断要素を含む。
【００２８】
更に、本開示の一実施形態によれば、医療器具は、生体被験者の身体部位に挿入されるように構成され、方法は、身体部位が位置する領域内に交番磁界を送信することであって、交換式ヘッドのそれぞれのヘッド位置追跡トランスデューサは、少なくとも１つのコイルを含む、ことと、少なくとも１つのコイルによって送信された交番磁界の少なくとも一部を検出することと、を更に含む。
【００２９】
更に、本開示の一実施形態によれば、交換式ヘッドのそれぞれのヘッド位置追跡トランスデューサは、回路基板上に印刷された二軸トランスデューサである。
【００３０】
更に、本開示の一実施形態によれば、医療器具は、生体被験者の身体部位に挿入されるように構成され、方法は、受信された信号の少なくとも一部に応答して、挿入された交換式ヘッドの位置を追跡することと、追跡された位置並びに識別された挿入された交換式ヘッドの形状及び寸法に応答して、ディスプレイに、身体部位の少なくとも一部の表現と、身体部位内の医療器具の挿入された交換式ヘッドの少なくとも一部の表現と、を含む画像を表示することと、を更に含む。
【図面の簡単な説明】
【００３１】
本発明は、添付の図面と併せると、以下の詳細な説明から理解されよう。
【図１】本発明の一実施形態による、医療処置システムの概略図である。
【図２】本発明の一実施形態による、医療処置システムで使用される磁界放射アセンブリの概略図である。
【図３】図１のシステムで使用するための医療器具の概略図である。
【図４】図３の医療器具のハンドル及び交換式ヘッドを示す。
【図５】図３の医療器具のハンドル及び交換式ヘッド上に配設されたトランスデューサを示す。
【図６】図５の医療器具の較正方法における例示的な工程を含むフローチャートである。
【図７】図１の医療処置システムの動作方法における例示的な工程を含むフローチャートである。
【図８】図１の医療処置システムによって表示された、身体部位及び挿入された交換式ヘッドの表現の画像の概略図である。
【発明を実施するための形態】
【００３２】
概論
いくつかの医療器具は、複数の交換式剛性ヘッドを有するハンドルを含み得る。様々な交換式剛性ヘッドは、様々な機能を実行するように、及び／又は様々な身体部位にアクセスするように、様々な大きさ及び／又は形状であってもよい。そのような一実施例では、剛性ヘッドは、生体被験者の身体部位内の組織を除去するために、回転ブレード及び／又は回転バーなどの少なくとも１つの切断要素をその遠位端に含んでもよい。剛性ヘッドのうちいくつかは概ね直線状であってもよく、他のものは湾曲部分を含んでもよい。
【００３３】
いくつかの医療器具は、ヘッドが多くの回転位置のうちの１つでハンドルに挿入されることを可能にし得る。加えて、又は代替的に、いくつかの医療器具は、挿入されたヘッドを複数の回転位置へと回転させることができる。このような状況では、医師が身体部位内の回転情報を含む医療器具のヘッドを正確にナビゲートすることは困難であり得る。医療器具のハンドルの遠位先端上の位置追跡センサを使用しても、ヘッドの回転位置に関する有用な情報が提供されない場合がある。加えて、ハンドルからヘッドの遠位先端までに相当な距離が存在する場合があり、角度位置の誤差が距離の誤差を構成する。加えて、ヘッドが金属ヘッドである場合、ヘッドからの金属干渉が読み取り値を更に誤らせる場合がある。ヘッド上に大型の複雑なセンサ、並びにコントローラ（ＥＥＰＲＯＭなど）を配置することも、コントローラ構成要素及びワイヤのための余地が存在しないため、困難であり得る。
【００３４】
加えて、ヘッドの回転位置が因子ではない場合であっても、ナビゲーションには、ヘッドのうちどのヘッドが現在医療器具に挿入されているかの知識が必要となる場合がある。医師は、どのヘッドがナビゲーションシステムと共に使用されているかを手動で登録することができる。しかしながら、医療処置の間にヘッドは複数回交換される場合があり、どのヘッドがナビゲーションシステムと共に使用されているかを手動で登録するのは時間を要し、かつエラーを起こしやすい。
【００３５】
本発明の実施形態は、ハンドルと、ハンドルへの個々の挿入のための様々な剛性の交換式ヘッドと、を有する医療器具を含む。交換式ヘッドは、ほんの一例として、形状及び／又はヘッド寸法及び／又は機能が互いに異なっていてもよい。いくつかの実施形態では、ヘッドの少なくとも一部は、ほんの一例として、少なくとも１つの切断要素を含んでもよい。
【００３６】
ハンドルは、その上に配置されたハンドル位置追跡トランスデューサを有する。交換式ヘッドのそれぞれは、その上に配置されたヘッド位置追跡トランスデューサを有する。ヘッド位置追跡トランスデューサは、交換式ヘッド上に戦略的に配置され、その結果、各交換式ヘッドが個々にハンドルに挿入されると、交換式ヘッドがハンドルに挿入された回転位置に関わらず、また挿入された交換式ヘッドが回転された回転位置に関わらず、ハンドル位置追跡トランスデューサと挿入された交換式ヘッドのヘッド位置追跡トランスデューサとの間の相対位置が挿入された交換式ヘッドを一意的に識別する。
【００３７】
したがって、交換式ヘッドのうちの様々なそれぞれの交換式ヘッドが、その上に配置される様々に位置決めされたそれぞれのヘッド位置追跡トランスデューサを有し、そのため、交換式ヘッドのうちの様々なそれぞれの交換式ヘッドがハンドル内に挿入されると、様々なそれぞれのヘッド位置追跡トランスデューサが、ハンドル位置追跡トランスデューサに対する様々なそれぞれの位置を画定する。換言すれば、ハンドルに挿入されたときの１つのヘッドは、そのヘッド位置追跡トランスデューサとハンドル位置追跡トランスデューサとの間の特定の相対位置（又は複数の位置）と関連付けられ、一方で、ハンドルに挿入されたときの別のヘッドは、そのヘッド位置追跡トランスデューサとハンドル位置追跡トランスデューサとの間の異なる相対位置（又は複数の位置）と関連付けられる。
【００３８】
様々なヘッドの様々な相対位置は、較正段階で計算され得る。次いで、計算された相対位置（複数可）は、今後の参照のために、ルックアップテーブルなどの中で関連するヘッドにリンクされ得る。このようにして、以下でより詳細に記載されるように、続いて様々な相対位置を使用して、ヘッドのうちのどれがハンドルに挿入されるかを識別することができる。
【００３９】
各ヘッド位置追跡トランスデューサは、対応するヘッドの回転を含む位置及び向きを追跡し得る二軸トランスデューサ（例えば、２つの直交する巻きコイルを含む）であってもよい。二軸トランスデューサは、ヘッドに取り付けるためにプリント回路基板（ＰＣＢ）上に印刷されていてもよい。ヘッドがハンドルに対して固定されるいくつかの実施形態では、単軸トランスデューサが使用されていてもよい。いくつかの実施形態では、ハンドル位置追跡トランスデューサは、ほんの一例として、二重又は三軸トランスデューサであってもよい。
【００４０】
ＰＣＢトランスデューサを使用するいくつかの利点が存在する。第１に、ＰＣＢトランスデューサは金属干渉に悩まされない。第２に、ＰＣＢは、ヘッド上に非常に正確な配向で配置され得る。第３に、ＰＣＢトランスデューサは、巻きコイルではないが、標準的なプリントコイルであるため、各ＰＣＢは実質的に同じ磁気感度を有する。したがって、上記の利点に基づいて、ＰＣＢトランスデューサは一般的に較正を必要とせず、したがって、一般的に過剰に嵩高であるためヘッド上に配設することのできないコントローラ（例えば、ＥＥＰＲＯＭ）を必要としない。
【００４１】
処理回路は、ハンドル位置追跡トランスデューサ及びハンドルに挿入された交換式ヘッドのヘッド位置追跡トランスデューサによって生成された信号を受信する。処理回路は、受信された信号に応答して、ハンドル位置追跡トランスデューサと挿入された交換式ヘッドのヘッド位置追跡トランスデューサとの間の相対位置（距離及び／又は向きを含み得る）を計算する。次いで、処理回路は、較正段階中に計算された、計算された相対位置及びデータに応答して、交換式ヘッドのうちのどの交換式ヘッドがハンドル内に挿入されるかを識別する。計算された相対位置は、計算された相対位置が、較正データから計算された相対位置のうちの１つと十分に相関するか否かに基づいて、挿入された交換式ヘッドがハンドル内に正しく挿入されたか否かを検出することにも使用することができる。
【００４２】
挿入された交換式ヘッドの位置は、ハンドル位置追跡トランスデューサ及び／又は挿入されたヘッドのヘッド位置追跡トランスデューサから受信された信号の少なくとも一部に応答して追跡され得る。追跡された位置並びに識別された挿入された交換式ヘッドの形状及び寸法に応答して、ディスプレイに、身体部位の少なくとも一部の表現と、身体部位内の医療器具の挿入された交換式ヘッドの少なくとも一部の表現と、を含む画像が表示され得る。
【００４３】
システムの説明
参照により本明細書に援用される文書は本出願の一体部分とみなされるべきであり、いずれかの用語が、それらの援用された文書内で、本明細書で明示的又は暗示的に行われる定義と相反するように定義される場合を除き、本明細書における定義のみが考慮されるべきである。
【００４４】
ここで図面を参照すると、本発明の一実施形態による、医療処置システム２０の概略図である図１と、システム２０で使用される磁界放射アセンブリ位置特定パッド２４の概略図である図２と、が参照される。医療処置システム２０は、典型的には、患者２２の鼻洞又は別の身体部位（脳など）の侵襲的及び／又は調査的処置中に使用される。
【００４５】
処置のために、磁界放射アセンブリ２４は、例えば、患者が座っている（又は横たわっている）椅子２５（又はベッド）にアセンブリ２４を固定することによって、患者２２のヘッドの後ろ及び／又は周りに配置されてもよい。描写される例における磁界放射アセンブリ２４は、馬蹄形のフレームに固定された５つの磁界放射器２６を備え、フレームは、磁界放射器２６が患者２２の頭部を囲むように患者２２の下又は周りに配置される。あるいは、より少数の又はより多数の放射器２６が、様々な異なる構成で使用されてもよい。磁界放射器２６は、磁界放射アセンブリ２４に近接して身体部位が位置し、かつ患者２２のヘッドを含む領域３０内に対応する周波数で交番磁界を放射するように構成されている。
【００４６】
交番磁界は、位置追跡トランスデューサ３２及び位置追跡トランスデューサ３６内で信号を誘発する。位置追跡トランスデューサ３２は、医療器具２８の位置を追跡するために医療器具２８上に配置されて示されている。位置追跡トランスデューサ３６は、磁界放射アセンブリ２４に対する患者の移動を相殺するために、患者２２の位置を追跡するため（例えば、患者２２の頭部の位置を追跡するため）、患者２２上に（例えば、患者２２の額又は任意の他の適切な身体部位上）に配置して示されている。ほんの一例として、医療器具２８は、身体部位に挿入するためのプローブ、内視鏡、及び／又はＥＮＴツール、吸引ツール、マイクロデブリーダ、又はシェーバなどの外科用ツールのうちの任意の１つ以上を含んでもよい。
【００４７】
医療器具２８の遠位端の位置及び患者２２の位置は、追跡サブシステムを使用して追跡することができ、追跡サブシステムは、遠位端に取り付けられた位置追跡トランスデューサ３２及び位置追跡トランスデューサ３６の位置及び配向座標をそれぞれ追跡する。位置追跡トランスデューサ３２、３６は、トランスデューサ３２、３６の位置を示す信号をそれぞれ出力するように構成されている。信号は、医療器具２８の遠位端の位置及び患者２２の位置を経時的に追跡するために、処理回路３８上で動作する追跡サブシステムによって処理される。追跡サブシステムが磁気追跡サブシステムである実施形態では、位置追跡トランスデューサ３２及び／又は位置追跡トランスデューサ３６は、図５を参照してより詳細に説明される少なくとも１つのコイルを含む。その他の実施形態では、追跡サブシステムは、複数のヘッド表面電極（例えば、位置追跡トランスデューサ３６の複数のインスタンス）を使用して、医療器具２８の少なくとも１つの電極（位置追跡トランスデューサ３２に含まれる）によって放出された信号に基づき医療器具２８の位置を追跡する、電気ベースの追跡サブシステムであってもよい。追跡サブシステムは、例えば、位置追跡トランスデューサ３２が少なくとも１つの超音波トランスデューサを含む超音波ベースの追跡システムであるがこれらに限定されない任意の好適な位置追跡サブシステムを用いて実装され得る。追跡サブシステムを使用して、医師５４は、以下により詳細に記載される身体部位内で医療器具２８の遠位端を前進させる。
【００４８】
いくつかの実施形態では、医療器具２８は、医療器具２８を操作するように構成されたロボットアーム４０に取り付けられ、またこれによって保持されている。ロボットアーム４０は、ロボットアーム４０の動きを制御して医療器具２８を操作するように構成された複数のロボット関節を含む。他の実施形態では、医療器具２８は、医師５４によって保持及び操作されている。
【００４９】
下記で更に詳細に説明するとおり、位置追跡トランスデューサ３２は医療器具２８に取り付けられ、位置追跡トランスデューサ３２の位置及び向きを決定することによって、患者２２（生体被験者）の身体部位に可逆的に挿入することが可能な医療器具２８の遠位端３４（又は他の位置）の位置及び向きを追跡することが可能になる。
【００５０】
同様に、位置追跡トランスデューサ３６の位置及び向きを決定することにより、患者２２の一部（例えば頭部）の位置及び向きを追跡することが可能になる。位置追跡トランスデューサ３６は、患者２２の額上に配置されるものとして図１に示されている。位置追跡トランスデューサ３６は、患者２２の位置／動きを追跡するために、患者２２の任意の他の適切な身体部位に配置されていてもよい。
【００５１】
磁界放射器２６などの磁界放射器を用いたシステムは、患者に挿入されたエンティティの追跡を目的としたものであり、参照により本明細書中に組み込まれているＧｏｖａｒｉらの米国特許出願公開第２０１６／０００７８４２号に記載されている。更に、Ｂｉｏｓｅｎｓｅ  Ｗｅｂｓｔｅｒ（３３  Ｔｅｃｈｎｏｌｏｇｙ  Ｄｒｉｖｅ，Ｉｒｖｉｎｅ，ＣＡ  ９２６１８  ＵＳＡ）製のＣａｒｔｏ（登録商標）システムは、磁界によって照射される領域内のコイルの位置及び向きを見つけるために、本明細書に記載されるのと同様の追跡システムを使用する。
【００５２】
ロボットアーム４０は、一般に、それ自体のロボット座標系を有する。ロボット座標系は磁界放射器２６の磁気座標系と位置合わせされ、又はその逆も然りである。ロボット座標系と磁気座標系との位置合わせは、例えば、ロボットアーム４０、又はロボットアーム４０に取り付けられた医療器具２８を、磁界放射器２６の既知の１つ以上の位置、例えば、磁界放射アセンブリ２４上の位置に、又は位置追跡トランスデューサ３６に、若しくは患者２２上の１つ以上の他の既知の位置に移動させることによって実行することができる。ロボット座標系と磁気座標系との位置合わせが実行されると、ロボットアーム４０を正しく操作するために、磁気座標系の位置をロボット座標系に変換することができる。
【００５３】
放射器２６を含むシステム２０の要素は、１つ以上のメモリと通信する処理ユニットを含む処理回路３８により制御することができる。典型的には、これらの要素はケーブルによって処理回路３８に接続されていてもよく、例えば、放射器２６はケーブル５８によって処理回路３８に接続されていてもよい。あるいは又は更に、この要素は、処理回路３８に無線接続されていてもよい。処理回路３８は、典型的にはキーパッド、及び／又はマウス若しくはトラックボールなどのポインティングデバイスが挙げられる動作制御装置５１を備えるコンソール５０内に取り付けられてもよい。コンソール５０は、医療器具２８の近位端５２などの医療処置システム２０の他の要素にも接続する。医師５４は、動作制御装置５１を使用して、処置を実施しながら処理回路３８と相互作用し、処理回路３８は、システム２０によって生成された結果をディスプレイ５６上に提示することができる。
【００５４】
いくつかの実施形態では、医療処置を実施する前に、患者２２のＣＴ画像が取得されている。ＣＴ画像は、その後の検索のために処理回路３８によってメモリ（図示せず）内に記憶されている。図１では、ディスプレイ５６が、医師５４が身体部位内で医療器具２８を誘導するための補助として使用することのできる以前のＣＴスキャン（又は他の適切なスキャン）の様々なビュー５９を表示している様子が示されている。ディスプレイ画面５６は、医療器具２８のカメラ（図示せず）によって捕捉された画像６１も示す。図７及び図８を参照してより詳細に説明されるように、ＣＴ画像は、医療器具２８の表現がディスプレイ５６上でＣＴ画像と共に表示され得るように、磁気座標系と位置合わせされ得る。
【００５５】
実際には、処理回路３８のこれらの機能の一部又は全てを、単一の物理的構成要素内に組み込むか、あるいは複数の物理的構成要素を使用して実装することが可能である。これらの物理的構成要素は、ハードワイヤード装置又はプログラマブル装置、あるいはこれら２つの組み合わせを備えてもよい。いくつかの実施形態では、処理回路の機能の少なくともいくつかは、適切なソフトウェアの制御下でプログラム可能なプロセッサによって実行されていてもよい。このソフトウェアは、例えばネットワークを介して電子的形態で装置にダウンロードされていてもよい。あるいは又は更に、このソフトウェアは、光学的メモリ、磁気的メモリ、又は電子的メモリなどの有形の非一時的なコンピュータ可読媒体に記憶されていてもよい。
【００５６】
ここで、図１のシステム２０で使用するための医療器具２８の概略図である図３を参照する。医療器具２８は、複数の様々な剛性の交換式ヘッド６４が個別に可逆的に挿入可能であるハンドル６２を含む。図３は、ハンドル６２に挿入された交換式ヘッド６４のうちの１つを示す。交換式ヘッド６４のうち他のものは図４に示され、これらについては以下で説明する。図３に示される医療器具２８は更に灌注管又は排液管６６を含む。
【００５７】
図３に示す医療器具２８は、医療器具２８に追加されている任意の位置追跡トランスデューサの前に示されている。下記で図５を参照しながら説明されるように、実際に、いくつかの実施形態では、医療器具２８は、位置トランスデューサ又はセンサなしで販売され、位置追跡トランスデューサが適切な位置に追加された既製品の医療器具を用いて実装されていてもよい。例えば、位置トランスデューサなしで利用可能なＳ１２０ハンドピース及びＢｉｅｎ  Ａｉｒ（登録商標）の交換式の再利用可能なブレードを、以下で説明される医療器具２８を提供するように適合させてもよい。他の実施形態では、医療器具２８は、一体型の位置追跡トランスデューサを備えた専用の医療器具として実装されていてもよい。
【００５８】
ここで図４を参照すると、図４は、図３の医療器具２８のハンドル６２及び複数の様々な交換式ヘッド６４を示す。図４に示されるハンドル６２及び交換式ヘッド６４もまた、位置追跡トランスデューサなしで示されている。交換式ヘッド６４は、ヘッド形状及び／又はヘッド寸法に関して互いに異なる。
【００５９】
各交換式ヘッド６４は、ハンドル６２のソケット７０に挿入されるプラスチック近位端６８を含む。ハンドル６２のソケット７０は、様々な剛性の交換式ヘッド６４を挿入するための複数の回転位置を含む。例えば、Ｓ１２０ハンドピースを用いて、再利用可能なブレードが８つの異なる回転位置に挿入され得る。いくつかの実施形態では、交換式ヘッド６４は、単一の回転位置でソケット７０内に挿入されていてもよい。
【００６０】
ハンドル６２は、様々な剛性の交換式ヘッド６４を回転させるための複数の回転位置を含む。したがって、交換式ヘッド６４のうちの１つがソケット７０内に挿入されると、挿入された交換式ヘッド６４は、回転調節コグホイール７２を使用して複数の回転位置に回転され得る。他の実施形態では、挿入された交換式ヘッド６４は、別の位置に回転することができない。
【００６１】
図４の実施例では、交換式ヘッド６４のそれぞれは、遠位端７６を有する細長いシャフト７４を備えて実装され、これは、細長いシャフト７４の遠位端７６に配設された少なくとも１つの切断要素７８を含む。切断要素（複数可）７８は、シェービングバー（例えば、粗面の円筒形状又は球形状要素）、若しくは細長いシャフト７４内で回転するシェービングブレード、又は任意の他の好適な切断要素を含み得る。
【００６２】
ここで図５を参照すると、図５は、図３の医療器具２８のハンドル６２及び交換式ヘッド６４上に配設されたトランスデューサ８０、８２を示す。ハンドル６２は、その上に配置されたハンドル位置追跡トランスデューサ８０を有する。ハンドル位置追跡トランスデューサ８０は、ハンドル６２の位置及び向き（回転を含む）を検出するために使用され得る二重又は三軸トランスデューサを含んでもよい。いくつかの実施形態では、ハンドル位置追跡トランスデューサ８０は、少なくとも１つのコイル、例えば２つ又は３つの直交して配置されたコイルを含んでもよい。
【００６３】
各交換式ヘッド６４は、交換式ヘッド６４の細長いシャフト７４の遠位端７６でその上に配設されたヘッド位置追跡トランスデューサ８２を含む。ヘッド位置追跡トランスデューサ８２は、細長いシャフト７４及び切断要素（複数可）７８から電気的に絶縁されている。ヘッド位置追跡トランスデューサ８２から延在するワイヤは、例えば、粘着テープ７５を使用して細長いシャフト７４に固定されている。
【００６４】
いくつかの実施形態では、各交換式ヘッド６４のヘッド位置追跡トランスデューサ８２は、少なくとも１つのコイルを含んでもよい。各交換式ヘッド６４のヘッド位置追跡トランスデューサ８２は、その交換式ヘッド６４の位置及び向き（回転を含む）を検出するために使用することができる二軸トランスデューサ（例えば、２つの直交して配置されたコイルを含む）を含んでもよい。ヘッド位置追跡トランスデューサ８２は、１つ又は２つのプリント回路基板上に印刷されていてもよい。例えば、２つのコイルが、コイルのそれぞれが他方のコイルと直交するように、細長いシャフト７４の遠位端７６に接続された１つ又は２つのプリント回路基板上に印刷されていてもよい。コイルをプリント回路基板上に印刷することで、巻きコイルを使用するよりもコンパクトかつより標準的なトランスデューサが提供される。コイルは、電気絶縁材料でコーティングされていてもよい。
【００６５】
ハンドル位置追跡トランスデューサ８０及び各交換式ヘッド６４のヘッド位置追跡トランスデューサ８２は、磁界放射器２６（図２）の送信された交番磁界の少なくとも一部を検出するように構成されている。
【００６６】
細長いシャフト７４の少なくとも一部は、細長いシャフト７４を身体部位に挿入する前に、プラスチック製の生体適合性スリーブ内に配設されていてもよい。いくつかの実施形態では、スリーブは、細長いシャフト７４を、プラスチック近位端６８からヘッド位置追跡トランスデューサ８２を含むヘッド位置追跡トランスデューサ８２まで被覆することができる。
【００６７】
ヘッド位置追跡トランスデューサ８２は、交換式ヘッド６４上に戦略的に配置され、その結果、各交換式ヘッド６４が個々にハンドル６２に挿入されると、交換式ヘッド６４がハンドル６２に挿入された回転位置に関わらず、また交換式ヘッド６４が回転された回転位置に関わらず、ハンドル位置追跡トランスデューサ８０と挿入された交換式ヘッド６４のヘッド位置追跡トランスデューサ８２との間の相対位置が挿入された交換式ヘッド６４を一意的に識別する。相対位置は、（ｉ）ハンドル位置追跡トランスデューサ８０とヘッド位置追跡トランスデューサ８２のうちの１つとの間の距離Ｄ、及び／又は（ｉｉ）ハンドル位置追跡トランスデューサ８０とヘッド位置追跡トランスデューサ８２のうちの１つとの間の相対的な向き（回転を含んでも含まなくてもよい）を含み得る。
【００６８】
したがって、交換式ヘッド６４のうちの様々なそれぞれの交換式ヘッド６４が、その上に（対応するヘッド６４の遠位端７６上に）配置される、様々に位置決めされた対応するヘッド位置追跡トランスデューサ８２を有し、そのため、交換式ヘッド６４のうちの様々なそれぞれの交換式ヘッド６４がハンドル６２内に挿入されると、様々なそれぞれのヘッド位置追跡トランスデューサ８２が、ハンドル位置追跡トランスデューサ８０に対する様々なそれぞれの位置を画定する。
【００６９】
ここで、図５の医療器具２８の較正方法における例示的な工程を含むフローチャート９０である図６を参照する。図５も参照する。交換式ヘッド６４のうちの１つがハンドル６２に挿入される（ブロック９２）。処理回路３８は、ユーザ入力装置（例えば、動作制御装置５１（図１））を介して、挿入された交換式６４ヘッドのユーザ識別情報を受信する（ブロック９４）ように構成されている。
【００７０】
処理回路３８（図１）は、ハンドル位置追跡トランスデューサ８０、及びハンドル６２に挿入された交換式ヘッド６４のうちのそれぞれの交換式ヘッド６４のそれぞれのヘッド位置追跡トランスデューサ８２によって生成された信号を受信する（ブロック９６）ように構成されている。処理回路３８は、受信された信号に応答して、ハンドル位置追跡トランスデューサ８０と挿入された交換式ヘッド６４のヘッド位置追跡トランスデューサ８２との間の相対位置を計算する（ブロック９８）ように構成されている。計算された相対位置は、（ｉ）ハンドル位置追跡トランスデューサ８０と挿入された交換式ヘッド６４のヘッド位置追跡トランスデューサ８２との間の計算された距離Ｄ、及び／又は（ｉｉ）ハンドル位置追跡トランスデューサ８０と挿入された交換式ヘッド６４のヘッド位置追跡トランスデューサ８２との間の計算された相対的な向き（回転を含んでも含まなくてもよい）を含み得る。
【００７１】
処理回路３８は、挿入された交換式ヘッド６４のユーザ識別情報を計算された相対位置（例えば計算された距離及び／又は計算された相対的な向き）と関連付け（ブロック１００）、その結果、新しい計算された相対位置（例えば、新しい計算された距離及び／又は新しい計算された相対的な向き）が計算された相対位置（例えば、計算された距離及び／又は計算された相対的な向き）の所与の許容差内にあるに応答して、挿入された交換式ヘッド６４がハンドルに再挿入されたことを今後識別するのを可能にするように構成されている。所与の許容差は任意の好適な値であってもよく、例えば、所与の許容差は、０．１ｍｍ〜５ｍｍの範囲内、及び／又は最大５％又は１０％の角度配向許容度であってもよい。
【００７２】
判定ブロック１０２において、処理回路３８は、交換式ヘッド６４を挿入すべき又は挿入された交換式ヘッド６４を回転すべき別の回転位置が存在するか否かをユーザにたずねる質問をディスプレイ５６に表示する。ユーザは、動作制御装置５１を介して処理回路３８が受信するための応答を提供する。ユーザが、別の回転位置が存在すると応答する場合（分岐１０４）、ユーザは、挿入された交換式ヘッド６４を新しい回転位置に回転させ（ブロック１０６）、方法はブロック９６の工程を継続する。挿入された交換式ヘッド６４がハンドル６２に対して自由に回転され得る場合、ユーザは、ブロック１０２の工程で表示された質問の応答に対してこれを示して、次いで、挿入された交換式ヘッド６４の様々な回転位置に対してブロック９６〜１００の工程が繰り返される間、挿入された交換式ヘッド６４を連続的に回転させることができる。ユーザが、これ以上の回転位置は存在しないと応答する場合（分岐１０８）、処理回路３８は、ディスプレイ５６に質問を表示して、較正されるべき交換式ヘッド６４がこれ以上存在するか否かをユーザにたずねる質問を表示する（ブロック１１０）。ユーザは質問に応答する。これ以上の較正されるべき交換式ヘッド６４が存在する場合（分岐１１２）、現在のヘッドが除去され（ブロック１１４）、新しい交換式ヘッド６４がブロック９２の工程で挿入され、フローチャート９０の工程が上述したように続く。較正すべき交換式ヘッド６４がこれ以上存在しない場合（分岐１１６）、方法は終了する（ブロック１１８）。
【００７３】
上記の較正方法は、ハンドル位置追跡トランスデューサ８０と挿入された交換式ヘッド６４のヘッド位置追跡トランスデューサ８２との間の計算された相対位置が、ハンドル位置追跡トランスデューサ８０と交換式ヘッド６４のうちの別の交換式ヘッド６４のヘッド位置追跡トランスデューサ８２との間の以前に計算された相対位置と同じであるか、又はその所与の許容差内にあるか否かを確認するための追加の工程を含んでもよい。計算された相対位置が、ハンドル位置追跡トランスデューサ８０と交換式ヘッド６４のうちの別の交換式ヘッド６４のヘッド位置追跡トランスデューサ８２との間の以前に計算された相対位置と同じであるか、又はその所与の許容差内にある場合、処理回路３８は、ヘッド位置追跡トランスデューサ８２の現在の配置を変更すべきであることをユーザに知らせるメッセージをディスプレイ５６に表示することができる。
【００７４】
較正データは、図７を参照して以下で説明されるシステム２０の動作中における後の使用のためにテーブルに保存されている。
【００７５】
ここで、図１の医療処置システム２０の動作方法における例示的な工程を含むフローチャート１２０である図７を参照する。図５も参照する。医師５４は、交換式ヘッド６４のうちの１つをハンドル６２に挿入する（ブロック１２２）。処理回路３８（図１）は、ハンドル位置追跡トランスデューサ８０、及びハンドルに挿入された交換式ヘッド６４のうちのそれぞれの交換式ヘッド６４のそれぞれのヘッド位置追跡トランスデューサ８２によって生成された信号を受信する（ブロック１２４）ように構成されている。処理回路３８は、受信された信号に応答して、ハンドル位置追跡トランスデューサ８０と挿入された交換式ヘッド６４のヘッド位置追跡トランスデューサ８２との間の相対位置（例えば距離及び／又は向き）を計算する（ブロック１２６）ように構成されている。処理回路３８は、計算された相対位置（例えば、距離及び／又は向き）に応答して交換式ヘッド６４のうちどの交換式ヘッドがハンドルに挿入されているか、かつ任意で、計算された相対位置に応答して交換式ヘッド６４がハンドル６２内に正しく挿入されたか否かを識別する（ブロック１２８）ように構成されている。ブロック１２８の工程は、以下に記載される副工程を含む。
【００７６】
処理回路３８は、計算された相対位置を、テーブル内の記憶された相対位置及び関連する交換式ヘッド６４の値と比較する（ブロック１３０）ように構成されている。判定ブロック１３２において、処理回路３８は、テーブルが、計算された相対位置の所与の許容差内にある値を含むか否かを判定する。テーブル中の計算された相対位置の所与の許容差内に値が存在しない場合（分岐１３４）、処理回路３８は、交換式ヘッド６４が認識されていないか、又はハンドル６２に正しく挿入されていないことを示すメッセージをディスプレイ５６に表示することができる（ブロック１３６）。次いで、処理はブロック１２２の工程を継続する。
【００７７】
テーブル中の計算された相対位置の所与の許容差内に値が存在する場合（分岐１３８）、交換式ヘッド６４はテーブル内の値に関連付けられた交換式ヘッド６４として識別され（ブロック１４０）、挿入された交換式ヘッド６４は、ハンドル６２に正しく挿入されていると識別されている。
【００７８】
処理回路３８は、受信された信号の少なくとも一部に応答して挿入された交換式ヘッド６４の位置を追跡する（ブロック１４２）ように構成されている。挿入された交換式ヘッド６４の位置を追跡するために使用される信号は、ハンドル位置追跡トランスデューサ８０から受信された信号、及び／又は挿入された交換式ヘッド６４のヘッド位置追跡トランスデューサ８２から受信された信号に基づき得る。交換式ヘッド６４が、例えばコグホイール７２（図４）を使用して自由に回転され得る場合、挿入された交換式ヘッド６４の位置は、一般的に、少なくとも挿入されたヘッド６４のヘッド位置追跡トランスデューサ８２から受信された信号に基づいて追跡されている。
【００７９】
ここで図８を参照すると、図８は、図１の医療処置システム２０によって表示された、身体部位の表現１４８及び挿入された交換式ヘッド６４の表現１５０の画像１４６の概略図である。図５及び図７も参照する。処理回路３８は、追跡された位置並びに識別された挿入された交換式ヘッド６４の形状及び寸法に応答して、身体部位の少なくとも一部の表現１４８と、身体部位内の医療器具２８の挿入された交換式ヘッド６４の少なくとも一部の表現１５０と、を含む画像１４６をディスプレイ５６（図１）に表示する（ブロック１４４）ように構成されている。交換式ヘッド６４は剛性であるため、挿入された交換式ヘッド６４の表現１５０は、挿入された交換式ヘッド６４の単一点の位置、並びに識別された挿入された交換式ヘッド６４の既知の形状及び寸法に基づいて表示され得る。切断要素（複数可）７８もまた、表現１５０上のインジケータ１５２を使用して示されてもよい。
【００８０】
本発明の様々に異なる特徴が、明確性のために複数の別個の実施形態の文脈において記載されているが、これらが単一の実施形態中に組み合わせて提供されてもよい。逆に、簡潔にするために単一の実施形態の文脈において記載されている本発明の様々な特徴が、別々に又は任意の適切な部分的組み合わせとして提供されてもよい。
【００８１】
上に記載される実施形態は、例として引用されており、本発明は、上に特に図示及び記載されたものによって限定されない。むしろ、本発明の範囲は、上に記載される様々な特徴の組み合わせ及び副組み合わせの両方、並びに前述の記載を読むと当業者が思い付くであろう先行技術に開示されていないその変形及び修正を含む。
【００８２】
〔実施の態様〕
（１）  医療器具追跡システムであって、
ハンドルと、前記ハンドルへの個々の挿入のための様々な剛性の交換式ヘッドと、を含む医療器具であって、前記ハンドルは、その上に配置されたハンドル位置追跡トランスデューサを有し、前記交換式ヘッドのうちの様々なそれぞれの交換式ヘッドが、その上に配置される様々に位置決めされたそれぞれのヘッド位置追跡トランスデューサを有し、そのため、前記交換式ヘッドのうちの前記様々なそれぞれの交換式ヘッドが前記ハンドル内に挿入されると、前記様々なそれぞれのヘッド位置追跡トランスデューサが、前記ハンドル位置追跡トランスデューサに対する様々なそれぞれの位置を画定する、医療器具と、
処理回路であって、
前記ハンドル位置追跡トランスデューサ、及び前記ハンドルに挿入された前記交換式ヘッドのうちのそれぞれの交換式ヘッドの前記それぞれのヘッド位置追跡トランスデューサによって生成された信号を受信し、
受信された前記信号に応答して、前記ハンドル位置追跡トランスデューサと挿入された前記交換式ヘッドの前記ヘッド位置追跡トランスデューサとの間の相対位置を計算し、
計算された前記相対位置に応答して、前記交換式ヘッドのうちのどの交換式ヘッドが前記ハンドル内に挿入されたかを識別するように構成された、処理回路と、を備える医療器具追跡システム。
（２）  前記交換式ヘッドは、ヘッド形状又はヘッド寸法のうち少なくともいずれか１つ以上に関して互いに異なる、実施態様１に記載のシステム。
（３）  前記処理回路は、前記計算された相対位置に応答して、前記挿入された交換式ヘッドが前記ハンドル内に正しく挿入されたか否かを検出するように構成されている、実施態様１に記載のシステム。
（４）  前記計算された相対位置は、前記ハンドル位置追跡トランスデューサと前記挿入された交換式ヘッドの前記ヘッド位置追跡トランスデューサとの間の計算された距離を含み、前記処理回路は、少なくとも前記計算された距離に応答して前記交換式ヘッドのうちのどの交換式ヘッドが前記ハンドルに挿入されたかを識別するように構成されている、実施態様１に記載のシステム。
（５）  前記ハンドルは、前記様々な剛性の交換式ヘッドを挿入するための複数の回転位置を含み、前記計算された相対位置は、前記ハンドル位置追跡トランスデューサに対する前記挿入された交換式ヘッドの前記ヘッド位置追跡トランスデューサの計算された配向を含み、前記処理回路は、前記計算された距離及び前記計算された配向に応答して前記交換式ヘッドのうちのどの交換式ヘッドが前記ハンドルに挿入されたかを識別するように構成されている、実施態様４に記載のシステム。
【００８３】
（６）  前記ハンドルは、前記様々な剛性の交換式ヘッドを回転させるための複数の回転位置を含み、前記計算された相対位置は、前記ハンドル位置追跡トランスデューサに対する前記挿入された交換式ヘッドの前記ヘッド位置追跡トランスデューサの計算された配向を含み、前記処理回路は、前記計算された距離及び前記計算された配向に応答して前記交換式ヘッドのうちのどの交換式ヘッドが前記ハンドルに挿入されたかを識別するように構成されている、実施態様４に記載のシステム。
（７）  前記交換式ヘッドのそれぞれは少なくとも１つの切断要素を含む、実施態様１に記載のシステム。
（８）  前記医療器具は、生体被験者の身体部位に挿入されるように構成され、前記システムは、前記身体部位が位置する領域内に交番磁界を送信するように構成された少なくとも１つの磁界放射器を有する位置特定パッドを更に備え、前記交換式ヘッドのそれぞれの前記ヘッド位置追跡トランスデューサは、送信された前記交番磁界の少なくとも一部を検出するように構成された少なくとも１つのコイルを含む、実施態様１に記載のシステム。
（９）  前記交換式ヘッドのそれぞれの前記ヘッド位置追跡トランスデューサは、回路基板上に印刷された二軸トランスデューサである、実施態様８に記載のシステム。
（１０）  前記医療器具は、生体被験者の身体部位に挿入されるように構成され、前記システムはディスプレイを更に備え、前記処理回路は、
前記受信された信号の少なくとも一部に応答して、前記挿入された交換式ヘッドの位置を追跡し、かつ、
追跡された前記位置並びに識別された前記挿入された交換式ヘッドの形状及び寸法に応答して、前記ディスプレイに、前記身体部位の少なくとも一部の表現と、前記身体部位内の前記医療器具の前記挿入された交換式ヘッドの少なくとも一部の表現と、を含む画像を表示するように構成されている、実施態様１に記載のシステム。
【００８４】
（１１）  医療器具追跡システムであって、
ハンドルと、前記ハンドルへの個々の挿入のための様々な剛性の交換式ヘッドと、を含む医療器具であって、前記ハンドルは、その上に配置されたハンドル位置追跡トランスデューサを有し、前記交換式ヘッドのうちの様々なそれぞれの交換式ヘッドが、その上に配置される様々に位置決めされたそれぞれのヘッド位置追跡トランスデューサを有し、そのため、前記交換式ヘッドのうちの前記様々なそれぞれの交換式ヘッドが前記ハンドル内に挿入されると、前記様々なそれぞれのヘッド位置追跡トランスデューサが、前記ハンドル位置追跡トランスデューサに対する様々なそれぞれの位置を画定する、医療器具と、
処理回路であって、
前記ハンドル位置追跡トランスデューサ、及び前記ハンドルに挿入された前記交換式ヘッドのうちのそれぞれの交換式ヘッドの前記それぞれのヘッド位置追跡トランスデューサによって生成された信号を受信し、
受信された前記信号に応答して、前記ハンドル位置追跡トランスデューサと挿入された前記交換式ヘッドの前記ヘッド位置追跡トランスデューサとの間の相対位置を計算し、
ユーザ入力装置を介して、前記挿入された交換式ヘッドのユーザ識別情報を受信し、
前記挿入された交換式ヘッドの前記ユーザ識別情報を計算された前記相対位置と関連付け、その結果、新しい計算された相対位置が前記計算された相対位置の所与の許容差内にあることに応答して、前記挿入された交換式ヘッドが前記ハンドルに再挿入されたことを今後識別するのを可能にするように構成された、処理回路と、を備える医療器具追跡システム。
（１２）  前記計算された相対位置は、前記ハンドル位置追跡トランスデューサと前記挿入された交換式ヘッドの前記ヘッド位置追跡トランスデューサとの間の計算された距離を含み、前記処理回路は、前記挿入された交換式ヘッドの前記ユーザ識別情報を前記計算された距離と関連付け、その結果、少なくとも新しい計算された距離が前記計算された距離の所与の許容差内にあることに応答して、前記挿入された交換式ヘッドが前記ハンドルに再挿入されたことを今後識別するのを可能にするように構成されている、実施態様１１に記載のシステム。
（１３）  前記ハンドルは、前記様々な剛性の交換式ヘッドを挿入するための複数の回転位置を含み、前記計算された相対位置は、前記ハンドル位置追跡トランスデューサに対する前記挿入された交換式ヘッドの前記ヘッド位置追跡トランスデューサの計算された配向を含み、前記処理回路は、前記挿入された交換式ヘッドの前記ユーザ識別情報を前記計算された距離及び前記計算された配向と関連付け、その結果、新しい計算された距離及び新しい計算された配向が前記計算された距離及び前記計算された配向それぞれの少なくとも１つの所与の許容差内にあることに応答して、前記挿入された交換式ヘッドが前記ハンドルに再挿入されたことを今後識別するのを可能にするように構成されている、実施態様１２に記載のシステム。
（１４）  前記ハンドルは、前記様々な剛性の交換式ヘッドを回転させるための複数の回転位置を含み、前記計算された相対位置は、前記ハンドル位置追跡トランスデューサに対する前記挿入された交換式ヘッドの前記ヘッド位置追跡トランスデューサの計算された配向を含み、前記処理回路は、前記挿入された交換式ヘッドの前記ユーザ識別情報を前記計算された距離及び前記計算された配向と関連付け、その結果、新しい計算された距離及び新しい計算された配向が前記計算された距離及び前記計算された配向それぞれの少なくとも１つの所与の許容差内にあることに応答して、前記挿入された交換式ヘッドが前記ハンドルに再挿入されたことを今後識別するのを可能にするように構成されている、実施態様１２に記載のシステム。
（１５）  医療器具を用いた医療処置のための方法であって、前記医療器具は、ハンドルと、前記ハンドルへの個々の挿入のための様々な剛性の交換式ヘッドと、を含み、前記ハンドルは、その上に配置されたハンドル位置追跡トランスデューサを有し、前記交換式ヘッドのうちの様々なそれぞれの交換式ヘッドが、その上に配置される様々に位置決めされたそれぞれのヘッド位置追跡トランスデューサを有し、そのため、前記交換式ヘッドのうちの前記様々なそれぞれの交換式ヘッドが前記ハンドル内に挿入されると、前記様々なそれぞれのヘッド位置追跡トランスデューサが、前記ハンドル位置追跡トランスデューサに対する様々なそれぞれの位置を画定し、前記方法は、
前記ハンドル位置追跡トランスデューサ、及び前記ハンドルに挿入された前記交換式ヘッドのうちのそれぞれの交換式ヘッドの前記それぞれのヘッド位置追跡トランスデューサによって生成された信号を受信することと、
受信された前記信号に応答して、前記ハンドル位置追跡トランスデューサと挿入された前記交換式ヘッドの前記ヘッド位置追跡トランスデューサとの間の相対位置を計算することと、
計算された前記相対位置に応答して、前記交換式ヘッドのうちのどの交換式ヘッドが前記ハンドル内に挿入されたかを識別することと、を含む、方法。
【００８５】
（１６）  前記交換式ヘッドは、ヘッド形状又はヘッド寸法のうち少なくともいずれか１つ以上に関して互いに異なる、実施態様１５に記載の方法。
（１７）  前記計算された相対位置に応答して、前記挿入された交換式ヘッドが前記ハンドル内に正しく挿入されたか否かを検出することを更に含む、実施態様１５に記載の方法。
（１８）  前記計算された相対位置は、前記ハンドル位置追跡トランスデューサと前記挿入された交換式ヘッドの前記ヘッド位置追跡トランスデューサとの間の計算された距離を含み、前記識別することは、少なくとも前記計算された距離に応答して前記交換式ヘッドのうちのどの交換式ヘッドが前記ハンドルに挿入されたかを識別することを含む、実施態様１５に記載の方法。
（１９）  前記ハンドルは、前記様々な剛性の交換式ヘッドを挿入するための複数の回転位置を含み、前記計算された相対位置は、前記ハンドル位置追跡トランスデューサに対する前記挿入された交換式ヘッドの前記ヘッド位置追跡トランスデューサの計算された配向を含み、前記識別することは、前記計算された距離及び前記計算された配向に応答して前記交換式ヘッドのうちのどの交換式ヘッドが前記ハンドルに挿入されたかを識別することを含む、実施態様１８に記載の方法。
（２０）  前記ハンドルは、前記様々な剛性の交換式ヘッドを回転させるための複数の回転位置を含み、前記計算された相対位置は、前記ハンドル位置追跡トランスデューサに対する前記挿入された交換式ヘッドの前記ヘッド位置追跡トランスデューサの計算された配向を含み、前記識別することは、前記計算された距離及び前記計算された配向に応答して前記交換式ヘッドのうちのどの交換式ヘッドが前記ハンドルに挿入されたかを識別することを含む、実施態様１８に記載の方法。
【００８６】
（２１）  前記交換式ヘッドのそれぞれは少なくとも１つの切断要素を含む、実施態様１５に記載の方法。
（２２）  前記医療器具は、生体被験者の身体部位に挿入されるように構成され、前記方法は、
前記身体部位が位置する領域内に交番磁界を送信することであって、前記交換式ヘッドのそれぞれの前記ヘッド位置追跡トランスデューサは、少なくとも１つのコイルを含む、ことと、
前記少なくとも１つのコイルによって、送信された前記交番磁界の少なくとも一部を検出することと、を更に含む、実施態様１５に記載の方法。
（２３）  前記交換式ヘッドのそれぞれの前記ヘッド位置追跡トランスデューサは、回路基板上に印刷された二軸トランスデューサである、実施態様２２に記載の方法。
（２４）  前記医療器具は、生体被験者の身体部位に挿入されるように構成され、前記方法は、
前記受信された信号の少なくとも一部に応答して、前記挿入された交換式ヘッドの位置を追跡することと、
追跡された前記位置並びに識別された前記挿入された交換式ヘッドの形状及び寸法に応答して、ディスプレイに、前記身体部位の少なくとも一部の表現と、前記身体部位内の前記医療器具の前記挿入された交換式ヘッドの少なくとも一部の表現と、を含む画像を表示することと、を更に含む、実施態様１５に記載の方法。
【図１】
2020168368.tif 000003
【図２】
2020168368.tif 000004
【図３】
2020168368.tif 000005
【図４】
2020168368.tif 000006
【図５】
2020168368.tif 000007
【図６】
2020168368.tif 000008
【図７】
2020168368.tif 000009
【図８】
2020168368.tif 000010
【外国語明細書】
2020168368000001.pdf